(57)【要約】      （修正有）【課題】異種類の濾過手段を組み合せて、濾過要求に応じて最も適した濾過手段を選び、同時に成形ラインを止めることなく連続してスクリーン交換を行えるようにして、多様化して濾過作用の効率化を図る流体用スクリーンチェンジャを提供する。【解決手段】ケーシング１０は、一外面に開口した入口通路１１と、他外面に開口した出口通路１２と、それらの間に連通した複数の分岐通路１３とを有する。各分岐通路に濾過手段が設けれ、入口通路、分岐通路または入口通路と分岐通路との交点には、流路変更可能な切り換え弁７とが設けられる。ここで、前記一方分岐通路と他方分岐通路との関係において、濾過手段とその取り付け部との少なくともいずれか一方が互いに異なる。【選択図】図２ａ
2009190342.tif 000002
【特許請求の範囲】
【請求項１】
一体のまたは実質的に一体のケーシングと、
該ケーシングの一外面に開口した入口通路と、
前記ケーシングの他外面に開口した出口通路と、
前記入口通路と出口通路との間に連通した複数の分岐通路と、
前記各分岐通路に設けられた濾過手段と、
前記入口通路、前記分岐通路または入口通路と分岐通路との交点に設けられた流路変更可能な切り換え弁とを備え、
前記一方分岐通路と他方分岐通路との関係において、濾過手段とその取り付け部との少なくともいずれか一方が互いに異なる流体用スクリーンチェンジャ。
【請求項２】
２個の可動棒孔を流路入口方向に並列して有するケーシング本体と、
前記可動棒孔に可動自在に挿入され、可動通路を外円周面に貫通して持ち、流路入口方向に並列した２本の可動棒と、
該可動棒の各々の一端に結合された可動駆動軸と、
前記各可動棒の可動通路に挿入された多孔板とスクリーンまたは有底濾過筒からなる濾過手段と、
前記ケーシング本体に設けられ、前記可動通路に連通するように、一外面に開口した入口通路と、他外面に開口した出口通路と、それらの間に連通した分岐通路と、
前記入口通路と前記分岐通路との交差点に設けられ、前記分岐通路の一方または他方または双方を開とする弁路を持つ切換弁とを含む流体用スクリーンチェンジャ。
【請求項３】
可動棒孔と固定通路を構成する定置穴とを流路入口方向に並列して有するケーシング本体と、
前記可動棒孔に可動自在に挿入され、可動通路を外円周面に貫通して持った可動棒と、  該可動棒の一端に結合された可動駆動軸と、
前記可動棒の可動通路に挿入された多孔板とスクリーンまたは有底濾過筒からなる濾過手段と、
前記定置穴に挿入された濾過手段と、
前記ケーシング本体に設けられ、前記可動通路に連通するように、一外面に開口した入口通路と、他外面に開口した出口通路と、それらの間に連通した分岐通路と、
前記入口通路と前記分岐通路の交差点に設けられ、前記分岐通路の一方または他方を開とする弁路を持ち、かつ、流体をケーシングの外部に排出する排出路を持つ切換弁と該排出路に通じるように、前記ケーシング本体に設けられた流体を外部に排出する排出路を含む流体用スクリーンチェンジャ。
【請求項４】
前記濾過手段の一方は、回動棒の可動通路に挿入された有底濾過筒、他方は摺動棒の可動通路に挿入された多孔板とスクリーンまたは有底濾過筒である請求項２記載の流体用スクリーンチェンジャ。
【請求項５】
前記可動棒の濾過手段は、摺動棒の可動通路に挿入された多孔板とスクリーンまたは有底濾過筒であり、前記定置穴に挿入された濾過手段は有底濾過筒である請求項３記載の流体用スクリーンチェンジャ。
【請求項６】
前記可動棒の濾過手段は、回動棒の可動通路に挿入された有底濾過筒であり、前記定置穴に挿入された濾過手段は有底濾過筒である請求項３記載の流体用スクリーンチェンジャ。
【請求項７】
前記可動棒の濾過手段は、複数の摺動棒の可動通路に挿入された多孔板とスクリーンまたは有底濾過筒であり、前記定置穴に挿入された濾過手段は有底濾過筒である請求項３記載の流体用スクリーンチェンジャ。
【請求項８】
前記可動棒の濾過手段は、複数の回動棒の可動通路に挿入された有底濾過筒であり、前記定置穴に挿入された濾過手段は有底濾過筒である請求項３記載の流体用スクリーンチェンジャ。
【発明の詳細な説明】
【技術分野】
【０００１】
本発明は、例えば溶融プラスチックなどの流体用スクリーンチェンジャに関するものである。
【背景技術】
【０００２】
プラスチック押出成形の多様化と共に濾過行程においても多様性が求められる。即ち、原料樹脂による比重、粘度、滞留性など、また、原料中に含まれる不純物の量、質、更に、濾過精度、即ち、スクリーンの粗か密か、また、運転操作の相違など、千差万別である。
【０００３】
一方、濾過手段たるスクリーンチェンジャ，フィルター等にも各種があり、それに応じた特徴を有している。即ち、プラスチック成形用の濾過機として、摺動板式，回動棒式（本出願人が先に開発し特許権を取得したものである。特許第３８０６７６７号公報）および固定式のものがある。
【０００４】
摺動板式は摺動板の長さ方向に間隔を存して、２組のスクリーンが設けられ、一方が目詰まりすると他方に切り換えるものである。この形式では２組の間隔が構造上長くなり、摺動するときにこの部分が流れを中断することになる。そのため、スクリーン交換の摺動時に濾過作用が間欠的となる。これを解決するため、２本の摺動棒にそれぞれ１組のスクリーンが設けられたものが使用されていた。そして、スクリーンが目詰まりすると一方の摺動棒を移動させて、スクリーン部を機外に出してスクリーンの交換を行う。その間、流体は一方のスクリーン部に集中するが、流れの中断がなく、成形ラインを停止する必要がなく、連続して生産が行える。
【０００５】
回動棒式では、筒状スクリーンが設けられているため、濾過面積が大きい。摺動棒式では円板スクリーンであるから、濾過面積が小さい。しかも、スクリーン部はケーシング内に密封されている状態になっているため、流体の洩れや空気との接触がない。しかし、スクリーンの交換には、回動棒を９０度回動させ、交換蓋を外して多孔筒と共に一体として取出し、スクリーン交換を行なわなければならず、前２者より手間がかかる。固定式のものは移動しないため、隙間がなく、洩れや空気との接触がない。また、濾過面積も大きくとれる。しかし、スクリーン交換時には成形ラインを止めなければならない。
【特許文献１】特許第３８０６７６７号公報
【発明の開示】
【発明が解決しようとする課題】
【０００６】
従って、それらの特徴を生かして要求される濾過作用を適切に行わねばならない。しかしながら、残念なことに、１種のスクリーンチェンジャ，フィルターで多くの濾過ニーズを満足させることは不可能である。
【０００７】
そこで本発明は、これらの濾過手段を組み合わせることによって、濾過要求に応じて最も適した濾過手段を選び、同時に成形ラインを止めることなく連続してスクリーン交換を行えるようにして、多様化して濾過作用の効率化を図る流体用スクリーンチェンジャを提供することを目的とする。
【課題を解決するための手段】
【０００８】
本発明は、複数のそれぞれ異なる特徴を有するスクリーンチェンジャまたはフィルターを１つのケーシングに混在させ、濾過ニーズに応じて複数の濾過手段から適当なものを選びするものである。また、同時に１つの濾過手段が使用されている間、他の濾過手段は待機しており、濾過手段のスクリーン交換などに流れが途切れさせないための補助濾過手段として働くように流体の切り換えをする弁を有することである。
【０００９】
一体のケーシングまたは一体とみなされるケーシングに、１個の流体入口と１個の流体出口を有し、その入口より複数の分岐路が設けられ、その各通路にそれぞれ濾過手段が設けられ、それら濾過手段がそれぞれ互いに異なる形式である。そして、ケーシングの流体入口通路または複数の分岐路、もしくは複数の分岐路の交差点に流路変更可能な切り換え弁を有する。
【００１０】
即ち、解決手段の第１は、一体のまたは実質的に一体のケーシングと、該ケーシングの一外面に開口した入口通路と、前記ケーシングの他外面に開口した出口通路と、前記入口通路と出口通路との間に連通した複数の分岐通路とを持つ。そして、前記各分岐通路に設けられた濾過手段と、前記入口通路、前記分岐通路または入口通路と分岐通路との交点に設けられた流路変更可能な切り換え弁とを備えている。そして、前記一方分岐通路と他方分岐通路との関係において、濾過手段とその取り付け部との少なくともいずれか一方が互いに異なっている。
【００１１】
解決手段の第２は、２個の可動棒孔を流路入口方向に並列して有するケーシング本体と、前記可動棒孔に可動自在に挿入され、可動通路を外円周面に貫通して持ち、流路入口方向に並列した２本の可動棒と、該可動棒の各々の一端に結合された可動駆動軸と、前記各可動棒の可動通路に挿入された多孔板とスクリーンまたは有底濾過筒からなる濾過手段とを備える。また、前記ケーシング本体に設けられ、前記可動通路に連通するように、一外面に開口した入口通路と、他外面に開口した出口通路と、それらの間に連通した分岐通路と、前記入口通路と前記分岐通路との交差点に設けられ、前記分岐通路の一方または他方または双方を開とする弁路を持つ切換弁とを持つ。
【００１２】
解決手段の第３は、可動棒孔と固定通路を構成する定置穴とを流路入口方向に並列して有するケーシング本体と、前記可動棒孔に可動自在に挿入され、可動通路を外円周面に貫通して持った可動棒と、該可動棒の一端に結合された可動駆動軸と、前記可動棒の可動通路に挿入された多孔板とスクリーンまたは有底濾過筒からなる濾過手段と、前記定置穴に挿入された濾過手段とを備える。また、前記ケーシング本体に設けられ、前記可動通路に連通するように、一外面に開口した入口通路と、他外面に開口した出口通路と、それらの間に連通した分岐通路と、前記入口通路と前記分岐通路の交差点に設けられ、前記分岐通路の一方または他方を開とする弁路を持ち、かつ、流体をケーシング本体の外部に排出する排出路を持つ切換弁と、該排出路に通じるように、ケーシング本体に設けられた流体を外部に排出する排出路を持つ。
【００１３】
前記解決手段の第２において、前記濾過手段の一方は、回動棒の可動通路に挿入された有底濾過筒、他方は摺動棒の可動通路に挿入された多孔板とスクリーンまたは有底濾過筒の場合がある。また、一方摺動棒の可動通路に挿入された多孔板とスクリーン、他方摺動棒の可動通路に挿入された有底濾過筒の場合がある。
【００１４】
解決手段の第３において、前記可動棒の濾過手段は、摺動棒の可動通路に挿入された多孔板とスクリーンまたは有底濾過筒であり、前記定置穴に挿入された濾過手段は有底濾過筒の場合がある。また、前記可動棒の濾過手段は、回動棒の可動通路に挿入された有底濾過筒であり、前記定置穴に挿入された濾過手段は有底濾過筒の場合がある。また、前記可動棒の濾過手段は、複数の摺動棒の可動通路に挿入された多孔板とスクリーンまたは有底濾過筒であり、前記定置穴に挿入された濾過手段は有底濾過筒の場合がある。また、前記可動棒の濾過手段は、複数の回動棒の可動通路に挿入された有底濾過筒であり、前記定置穴に挿入された濾過手段は有底濾過筒の場合がある。
【００１５】
ここで前記のように、可動棒には、断面円形の回動棒、断面円形の摺動棒、断面矩形の摺動棒（板状体も含む）などが含まれる。濾過手段には、多孔板とスクリーンによるものや、有底濾過筒が含まれる。そして、摺動棒に取り付けられる濾過手段は１組の場合と、摺動棒の軸方向に隔置された２組の場合がある。
【発明の効果】
【００１６】
本発明の流体用スクリーンチェンジャにより、複数の互いに異なる濾過手段を組み合わせることによって、濾過要求に応じて最も適した濾過手段を選び、同時に成形ラインを止めることなく連続してスクリーン交換を行えるようになった。これによって、多様化して濾過作用の効率化を図ることが可能となった。
【発明を実施するための最良の形態】
【００１７】
以下に本発明の実施態様を図面に示す一実施例にもとづき説明する。
図１は回動式と摺動式との組み合わせたものを示す。図において、ケーシング本体１０は外形が正面視で矩形，側面視で縦長矩形，平面視で横長矩形をなした鋼のブロック状である。そして、後記回動棒２がその軸線回りに回動、後記摺動棒３０がその軸方向に摺動できるよう案内するよう、ケーシングの前後方向に沿う軸線を持つ２個の円筒形の可動棒孔１５，１５が、流路入口方向に並列し上下に平行に設けられる。
【００１８】
該ケーシング本体１０には、一方外面（図示右面）から前記可動棒孔１５を連通して他方外面（図示左面）に開口するように、入口通路１１，分岐通路１３，出口通路１２が設けられる。図示の右側が流体の上流側、左側が流体の下流側となる。入口通路１１，出口通路１２は、２個の可動棒孔１５，１５の間を通る左右一直線上にある。分岐路１３，１３はそれらから鋭角に分岐して、可動棒孔１５，１５の中心を通る左右一直線上の付近に至る。
【００１９】
図２ａ，３ａにおいて、上側の前記可動棒孔１５には、円柱形の回動棒２が回動自在に挿入される。下側の可動棒孔１５には、円柱形の摺動棒３０が摺動自在に挿入される。回動棒２は直径方向に貫通する１個の可動通路２ａを持つ。摺動棒３０は直径方向に貫通する２個の可動通路３０ａを、軸方向に間隔を存して持つ。前記可動通路２ａに濾過筒とスクリーンからなる濾過手段２０が挿入される。また、前記可動通路３０ａに多孔板３とスクリーン４からなる濾過手段が挿入される。
【００２０】
図２ａ，３ｂで、前記ケーシング本体１０において、入口通路１１と分岐通路１３との交差点に、三方切り換え弁７が設けられる。三方切り換え弁７は次のように構成される。前後に長い円柱弁本体７ａにＵ字に貫通する弁路７ｂが開けられ、円柱弁本体７ａがケーシング本体１０の後面から回動自在に挿入される。前記弁路７ｂは、弁本体７ａの外円周面で円周方向に長い溝からなり、前記分岐通路１３，１３の一方または他方または双方を開とする。円柱弁本体７ａの後端に形成された回動軸７ｃがケーシングカバー１０ｂを貫通して後面に突出し、その端部に回動ハンドル７ｄが固定される。
【００２１】
図１ｂ，３ａで、前記回動棒孔１５の両端で、ケーシング本体１０の前後に一対のケーシングカバー１０ａ，１０ｂが取り付けられる。後カバー１０ｂを貫通した回動棒２の可動駆動軸５に回動手段として、回動ハンドル６ｄが取り付けられる。摺動棒３０は図外の往復駆動手段により摺動され、スクリーン４の交換作業が実施される。
【００２２】
図４において、回動棒２に装填された有底濾過筒２０は底側を可動通路２ａの入口側大径側に位置し、可動通路２ａの出口から交換可能にはめ込まれる。補強多孔筒２１は直円筒（またはテーパ円筒）を呈し、その外周（または内周，中間）に円筒スクリーン２２が装着される。補強多孔筒２１の一端にネジで取り付けられた底部材２３は、外側中央が外側に凸となっている。案内部材２４は底部材２３の内側の軸線上に突設された先細テーパ棒状を呈する。フランジ部材２５は多孔筒の開口側に設けられた円環状を呈し、ケーシング本体１０の内面に対向する部分は円柱回動棒の外周面に面一となる円筒面を持つ。
【００２３】
図２ａで、回動棒２の可動通路２ａは、通常運転で入口側が広いテーパ孔（又は直円筒孔）となる。その中に有底濾過筒２０が、底側を入口主通路１１側にし、可動通路２ａの出口から交換可能に取り付けられる。
【００２４】
ケーシング１０の外面から回動棒孔１５に連通して濾過手段交換孔１６が設けられる。即ち、回動棒孔１５の内円周面の円周方向において、入口通路１１，分岐通路１３，出口通路１２が開口する範囲を除いた範囲で、かつ、ケーシング本体１０の外面に最も近い範囲（図示ではケーシング本体１０の上面）である。そして、この孔を開閉する交換蓋８設けられる。
【００２５】
この実施例では、濾過される流体に不純物が少なく、濾過精度が高く、しかも流量が大のため、通常、弁７は図２ｂの状態で、流体は回動棒２を持つ濾過手段２０で濾過される。摺動式濾過手段３，４への分岐路１３は閉止されている。スクリーンが目詰まりしてくると、弁７を図２ｃの状態にする。流体は摺動式濾過手段３，４に流入し、回動式濾過手段２０への分岐路１３は閉止される。その後、回動棒２を右回り９０度回動し、上部より交換蓋８を開けて、有底濾過筒２０を取り外して新品と交換する。その間、流体は摺動式濾過手段で濾過され、後行程に流出してゆくので、成形ラインの停止は生じない。
【００２６】
弁７を図２ａの状態にすると、流体は摺動式濾過手段３，４と、回動式濾過手段２０との双方を通過する。この場合は流量が多い場合や、流体に不純物が多い場合、或いは濾過精度が高く要求される場合などである。摺動式濾過手段３，４では、目詰まりが起これば、摺動棒３０を左または右に摺動させて濾過手段３，４をケーシング１０の外に出し（図３ａ）、スクリーン４を交換する。このとき、流体は回動式濾過手段２０へも常に流れているため、摺動棒３０のスクリーン４の交換時に流れの途切れは起こらない。
【００２７】
図５，６は摺動式と固定式の組み合わせたものを示す。図において、ケーシング本体１０は外形が正面視で矩形，側面視で縦長長い矩形，平面視で横長矩形をなした鋼のブロック状である。そして、ケーシングの前後方向に沿う軸線を持つ可動棒孔１５と、ケーシングの左右方向に沿う軸線を持つ固定通路を構成する円形断面定置穴１７とが、流路入口方向に並列して上下に設けられる。
【００２８】
該ケーシング本体１０には、一方外面（図示右面）から前記可動棒孔１５を連通して他方外面（図示左面）に開口するように、入口通路１１，分岐通路１３，出口通路１２が設けられる。図示の右側が流体の上流側、左側が流体の下流側となる。入口通路１１，出口通路１２は、可動棒孔１５の中心を通る左右一直線上にあり、一方分岐路１３はそれらの同一直線上にあり、他方分岐路１３は定置穴１７の軸線に直角である。なお、１４は分岐通路１３を開けた後に、その端部に設けられた栓である。
【００２９】
図５，６ａにおいて、上側の前記可動棒孔１５には、円柱形（矩形でもよい）の摺動棒３０が摺動自在に挿入される。下側の定置穴１７には、固定式濾過手段４０が挿入される。摺動棒３０は直径方向に貫通し、軸方向に間隔を存して２個の可動通路３０ａを持つ。また、前記可動通路３０ａに多孔板３とスクリーン４による濾過手段が挿入される。
【００３０】
図５において、固定式の有底濾過筒４０は底側を固定通路１７の入口側大径側に位置させ、固定通路１７の出口側から交換可能にはめ込まれる。補強多孔筒４１は直円筒（またはテーパ円筒）を呈し、その外周（または内周，中間）に円筒スクリーン４２が装着される。補強多孔筒４１の一端にネジで取り付けられた底部材４３は、外側中央が外側に凸となっている。案内部材４４は底部材４３の内側の軸線上に突設された先細テーパ棒状を呈する。
【００３１】
フランジ部材４５は多孔筒の開口側に閉鎖するように着脱自在に設けられる。このフランジ部材４５はケーシング本体にボルトなどで着脱自在に取り付けられる。そして、ケーシング本体にと取り付けられる大径部４５ａ、固定通路１７の内側と補強多孔筒４１の外側に摺動自在に挿入される中径部４５ｂ、および、補強多孔筒４１の内側に摺動自在に挿入される小径部４５ｃからなる。フランジ部材４５には、補強多孔筒４１の軸線に沿う方向からほぼ直角に曲がる流路４５ｄ（補強多孔筒４１を貫通して）が設けられ、これが分岐通路１３，出口通路１２に続く。中径部４５ｂの先端は、流体を補強多孔筒４１の外側から内側に案内するテーパ面４５ｅとなっている。
【００３２】
図５，６ｂで、前記ケーシング本体１０において、入口通路１１と分岐通路１３との交差点に、三方切り換え弁７１が設けられる。なお、１４は分岐通路１３を開けた後に、その端部に設けられた栓である。三方切り換え弁７１は次のように構成される。円柱弁本体７１ａにＴ字に貫通する弁路７１ｂが開けられ、円柱弁本体７１ａがケーシング本体１０の後面から回動自在に挿入される。前記弁路７１ｂは、弁本体７１ａの軸断面上に設けられ、前記分岐通路１３，１３の一方または他方を開とする。円柱弁本体７１ａの後端に形成された回動軸７ｃがケーシングカバー１０ｂを貫通して後面に突出し、その端部に回動ハンドル７ｄが固定される。
【００３３】
また、図７のように、三方弁７１には外部排出路７１ｅが設けられ、スクリーン４と濾過筒２０の逆洗が可能となる。即ち、弁本体７１ａはケーシング１０の前面まで延びて貫通する。そして、その前半部（ケーシング１０の前側）で外周に、軸方向に沿って溝７１ｅが設けられる。この溝は、弁口７１ｂが直径上を貫通する入口と出口の間から、前端まで続き、外部排出路７１ｅとなる。
【００３４】
これに対応して、弁本体７１ａの前端面に対向した前カバー１０ａの部分には、外部排出路１８が設けられる。即ち、弁７１の通常運転時及び濾過手段交換時の流路切換時において、各時にとる排出路７１ｅの位置に対応した位置に、外部排出路１８が設けられる。図示において、下側及び９０度右回りに偏位した位置に（図７ａ，７ｃ）、排出路１８，ネジ孔１８ａ，流量調整弁（排出弁）１８ｂが設けられる。また、固定式の有底濾過筒４０の出口から、摺動式濾過手段３，４の出口からの分岐路１３への途中に、開閉弁９が設けられる。この弁９は前後に長い円柱弁本体に直経方向に貫通する弁路が開けられたもので、その他の部分は三方切り換え弁７と同様に構成される。
【００３５】
この実施形態では、濾過される流体は不純物が多く、しかも濾過精度が余り厳しくない場合である。スクリーンの目詰まりが早いため、スクリーンを頻繁に交換する必要がある。そこで図５の通り、通常、弁７１は図５，７ａ，７ｂの状態で、流体は摺動式濾過手段３，４で濾過される。開閉弁９は開で、流体の一部は固定式濾過手段４０に入り、逆洗して切換弁７１の外部排出路７１ｅからケーシングの外部に排出され、その後、排出弁１８ｂを閉じると、待機状態となる。
【００３６】
スクリーンが目詰まりしてくると、弁７１の状態を図７ｃのようにし、開閉弁９は開のままである。流体は固定式濾過手段４０に流入して濾過され、後行程に流出してゆき、成形ラインの停止は生じない。
【００３７】
ここで、流体の一部は摺動式濾過手段に入り、逆洗して切換弁７１の外部排出路７１ｅからケーシングの外部に排出され、その後、排出弁１８ｂを閉じる。その後、摺動棒３０を機外側に摺動させ、スクリーンを取り外して新品と交換する。この時、分岐通路１３は摺動棒３０により閉鎖されている。その後、摺動棒３０を機内側に摺動させると、流体の一部は摺動式濾過手段３，４の空のスクリーン部屋に入る。そして、流体は部屋内の空気を切換弁７１の外部排出路７１ｅを通り、ケーシングの外部に排出させながら、空のスクリーン部屋を満たす。その後、排出弁１８ｂを閉じる。
【００３８】
その後、弁７１を図５，７ａ，７ｂの状態に戻し通常運転状態に入り、流体は摺動式濾過手段３，４で濾過される。開閉弁９は閉で、固定式濾過手段４０を取り外して新品と交換する。その後、開閉弁９を開とすると、流体の一部は固定式濾過手段４０の空のスクリーン部屋に入る。そして、流体は部屋内の空気を切換弁７１の外部排出路７１ｅを通り、ケーシングの外部に排出させながら、空のスクリーン部屋を満たす。その後、排出弁１８ｂを閉じると、待機状態となる。
【００３９】
なおこの場合、固定式濾過手段４０の濾過面積を摺動式濾過手段３，４のものより相当に大きくしておくと、摺動式濾過手段の頻繁なスクリーン交換においても、十分その間の濾過を担当することができる。
【００４０】
図８ａは固定式濾過手段と回動式濾過手段との組み合わせであり、図５において、摺動式濾過手段に代えて回動式濾過手段としたものである。また、三方弁７１が固定式濾過手段４０の入口側に設けられている。入口通路１１は定置穴１７に同心に、出口通路１２は可動棒孔１５の中心を通る左右一直線上にある。
【００４１】
この実施例では濾過精度が極めて高く、かつ、空気との接触による酸化ゲルの発生、混入を避けるために用いられるものである。通常は図８ａの状態で、固定式濾過手段４０で濾過される。固定式濾過手段が目詰まりした場合、図８ｂの状態で、切換弁７１で流れを回動式濾過手段２０に切り換え、流れを中断させずにスクリーン交換を行う。また、前記と同様に、切換弁７１の外部排出路７１ｅにより逆洗と空気抜きが行われる。固定式濾過手段４０の逆洗、空気抜き及び交換は図５の場合と同様である。なおこの実施例で、回動式濾過手段に代えて摺動式濾過手段を用いることは、濾過面積が小であり、また、摺動アウトによる酸化ゲルの発生があるために適していない。
【００４２】
図９ａは固定式濾過手段と摺動式濾過手段との組み合わせであり、図８ａにおいて、回動式濾過手段２０に代えて摺動式濾過手段３，４としたものである。しかも、摺動式濾過手段を上下に２組として、濾過能力を増加させたものである。
【００４３】
入口の切換弁７１を図９ａの状態にすると、流体の全部は固定式濾過手段４０に流れる。そして、その一部は摺動式濾過手段３，４に逆流し、スクリーンを逆洗して切換弁７１の外部排出路７１ｅからケーシングの外部に排出され、その後、排出弁１８ｂを閉じる。つまり、２個のスクリーンの洗浄が同時に行われるのである。その後、摺動棒３０を機外側に摺動させ、スクリーンを取り外して新品と交換する。また、２本の摺動棒３０，３０の１本ずつ交互に摺動させて交換してもよい（図９ｂ）。
【００４４】
また、入口の切換弁７１を図９ａから左９０度に回した状態にすると、流体は２組の摺動式濾過手段３，４に流れて濾過される。或いは、２本の摺動棒３０，３０の１本ずつ交互に摺動させて交換できる。固定式濾過手段４０の逆洗、空気抜き及び交換は、図５，図８ａの場合と同様である。
【００４５】
ここで、逆洗は必ず行うものでなく、条件によって不可能な場合、または行わない場合がある。また、固定式濾過手段４０の出口側にある開閉弁９は、固定式濾過手段の交換時のものである。しかし、固定式濾過手段の濾過面積は非常に大きいので長持ちする。このため、交換時には成形ライン全体を止めても余り影響はない。
【００４６】
また、表１に以上の各濾過手段の特徴比較と濾過適性を示す。
【００４７】
【表１】
2009190342.tif 000003
【００４８】
以上、４つの実施形態について説明したが、これらの中での流れの選択は一例であり、説明したものの逆の場合もあり得る。即ち、弁の操作によって濾過の状態、濾過精度、流量などによって、種々な切り換えと使い方が可能であり、しかも、流体の流れを中断することなく行えるのが特徴である。また、前記以外の異なる種類の濾過手段の組み合わせも含まれる。また、図２ａ，９ａにおいて仮想線で示す分割線Ｌで、可動棒孔１５を含む部分と入口通路１１，出口通路１２および分岐通路１３を含む部分とが分割されたものを、フランジとボルト・ナツトを介して結合するものも、実質的に一体となったケーシングに含まれる。
【００４９】
本発明は前記した実施例や実施態様に限定されず、特許請求の範囲および範囲を逸脱せずに種々の変形を含む。
【産業上の利用可能性】
【００５０】
本発明は、溶融プラスチックなどの流体用スクリーンチェンジャに利用される。
【図面の簡単な説明】
【００５１】
【図１ａ】本発明の一実施例（第１実施例）の正面図である。
【図１ｂ】図１ａの平面図である。
【図１ｃ】図１ａの右側面図である。
【図２ａ】図１ｂのＹ２ａ−Ｙ２ａ断面図である。
【図２ｂ】図２ａの作動説明図である。
【図２ｃ】図２ａの作動説明図である。
【図３ａ】図１ａのＹ３ａ−Ｙ３ａ断面図である。
【図３ｂ】図１ａのＹ３ｂ−Ｙ３ｂ断面図である。
【図４】図２ａの部分拡大図である。
【図５】本発明の第２実施例の図２ａに対応した断面図である。
【図６ａ】図５のＹ６ａ−Ｙ６ａ断面図である。
【図６ｂ】図５のＹ６ｂ−Ｙ６ｂ断面図である。
【図７ａ】図５要部拡大図である。
【図７ｂ】図７ａのＸ７ｂ−Ｘ７ｂ断面図である。
【図７ｃ】図７ａの作動説明図である。
【図８ａ】本発明の第３実施例の図２ａに対応した断面図である。
【図８ｂ】図８ａの作動説明図である。
【図８ｃ】図８ａのＹ８ｃ−Ｙ８ｃ断面図である。
【図９ａ】本発明の第４実施例の図２ａに対応した断面図である。
【図９ｂ】図９ａのＹ９ｂ−Ｙ９ｂ断面図である。
【符号の説明】
【００５２】
１０  ケーシング本体
１１  入口通路
１２  出口通路
１３  分岐通路
１４  栓
１５  可動棒孔
１６  交換孔  
１７  定置穴
１０ａ，１０ｂ  カバー
２  回動棒
２ａ  可動通路
３  多孔板
４  スクリーン
５  可動駆動軸
６  回動手段
７  三方切換弁
８  交換蓋
２０  有底濾過筒
２１  補強多孔筒
２２  スクリーン
２３  底部材
２４  案内部材
２５  フランジ部材
３０  摺動棒
４０  固定式濾過手段  
【図１ａ】
2009190342.tif 000004
【図１ｂ】
2009190342.tif 000005
【図１ｃ】
2009190342.tif 000006
【図２ａ】
2009190342.tif 000007
【図２ｂ】
2009190342.tif 000008
【図２ｃ】
2009190342.tif 000009
【図３ａ】
2009190342.tif 000010
【図３ｂ】
2009190342.tif 000011
【図４】
2009190342.tif 000012
【図５】
2009190342.tif 000013
【図６ａ】
2009190342.tif 000014
【図６ｂ】
2009190342.tif 000015
【図７ａ】
2009190342.tif 000016
【図７ｂ】
2009190342.tif 000017
【図７ｃ】
2009190342.tif 000018
【図８ａ】
2009190342.tif 000019
【図８ｂ】
2009190342.tif 000020
【図８ｃ】
2009190342.tif 000021
【図９ａ】
2009190342.tif 000022
【図９ｂ】
2009190342.tif 000023